(57)【要約】【課題】弾球遊技機に与えられる不正な変位による入賞、特に、入賞系列部の上位段階入賞を高い確度で簡単に判定できるようにする。【解決手段】弾球遊技機の異常変位の信号Ｓ１３１、Ｓ１３２、入賞系列部Ａへの少なくとも下位段階およびそれの１つまたはそれ以上の上位段階での入賞信号Ｓ１、Ｓ２１、Ｓ２２１、Ｓ２２２を、弾球遊技機の事後改良にならないように得て、それを弾球遊技機から独立した制御手段３１により利用し、入賞系列部Ａの上位段階入賞があるとき、それより下位段階の入賞信号があってから前記上位段階の入賞信号があるまでの間に、変位検出手段６１により検出された変位信号Ｓ１３１、Ｓ１３２があった場合に、前記上位入賞が不正によるものと判定するようにして、上記の目的を達成する。【選択図】図２
2007167178.tif 000002
【特許請求の範囲】
【請求項１】
遊技球を貯留する球受け皿、球受け皿から供給される遊技球を遊技領域へ１つずつ打ち出す弾球打ち出し部、遊技遊技球の入賞に応じて遊技球を払い出す弾球払い出し部を備え、遊技領域に、遊技球を受け入れ、あるいは通過させる、普通入賞口、補助入賞口、大入賞口などの入賞口、補助入賞口や大入賞口のスタート用入賞口、補助入賞口や大入賞口内に大当たりとなるＶゾーンと大当たりにならない外れゾーンなどに振り分け設けられた振り分け部のうち、少なくとも２段階以上に関連し合う入賞系列部と、いずれにも入賞しなかった遊技球を遊技領域外へ排出する排出口と、を設けた弾球遊技機において、
弾球遊技機の片寄せ、叩き変動、振動、傾きなどの異常変位の信号を、既設の変位検出手段があるときはそれの既設配線からの外部センサによる検出、既設の変位検出手段がない場合は弾球遊技機に付設した変位検出手段による検出、にて得、遊技球の入賞系列部への少なくとも下位段階およびそれの１つまたはそれ以上の上位段階での入賞信号を、それら信号に関連する既設の検出具があるものについてはそれの既設電気配線からの外部センサによる検出、それら信号に関連する既設の検出具がないものについては、それら信号に関連する機器の動作の信号の外部センサによる検出や遊技球の動きの非接触センサによる検出、により得て、弾球遊技機から独立した制御手段により、入賞系列部の上位段階入賞があるとき、それより下位段階の入賞信号があってから前記上位段階の入賞信号があるまでの間に、変位検出手段により検出された変位信号があった場合に、前記上位入賞が不正によるものと判定することを特徴とする弾球遊技機の管理装置。
【請求項２】
前記下位段階の入賞は、初期段階の入賞である請求項１に記載の弾球遊技機の管理装置。
【請求項３】
前記上位段階の入賞は、複数段階ある上位段階の入賞の内予め設定された入賞である請求項１、２のいずれか１項に記載の弾球遊技機の管理装置。
【請求項４】
前記上位段階の入賞は、最終段階の入賞である請求項１〜３のいずれか１項に記載の弾球遊技機の管理装置。
【請求項５】
前記上位段階の入賞は、大当たりの入賞である請求項１〜４のいずれか１項に記載の弾球遊技機の管理装置。
【請求項６】
大当たりの入賞は、振り分け部のＶゾーン入賞である請求項５に記載の弾球遊技機の管理装置。
【請求項７】
変位信号は、制御手段に直属の弾球遊技機およびこれに異常変位が伝播する隣接のものを含む近隣範囲の弾球遊技機から受信し、複数の弾球遊技機から変位信号が入力した場合変位信号の入力時間値、入力回数値、入力の周波数値、入力の乱れ値など異常値が最大である弾球遊技機を異常変位したものと判定し、この判定した弾球遊技機が制御手段に直属のものである場合に制御手段は変位信号ありとして直属の弾球遊技機に関し前記不正の判定を行う請求項１〜６のいずれか１項に記載の弾球遊技機の管理装置。
【発明の詳細な説明】
【技術分野】
【０００１】
本発明は、少なくとも２段階以上に関連し合う入賞系列部を備えた弾球遊技機において、遊技者が不正に及ぼす片寄せ、叩き変動、振動、傾きなどの異常変位によって、上位段階の入賞しやすくするようなことに対応するのに好適な弾球遊技機の管理装置に関するものである。
【背景技術】
【０００２】
弾球遊技機を叩いて入賞させるいわゆる台叩きの不正に対応する技術が既に知られているし（例えば、特許文献１〜３参照。）、振動を与える不正に対応する技術も既に知られている（例えば、特許文献４参照。）。
【０００３】
特許文献１は、ＩＣカードを使用する遊技機において、ＩＣカードと遊技台とを関連付けて管理し、ＩＣカードにそれを所有する遊技者の遊戯中の台叩きを含む不正行為などの遊技情報を記録して管理し、営業に活用できるようにする技術を開示している。
【０００４】
特許文献２、３は、台叩きがあっても、それによって入賞することがない入賞器や遊技球を払い出さない払い出し器に関する技術を開示している。
【０００５】
特許文献４は、パチンコ機において、振動センサによって振動が検出されたときに、振動を検出してから一定の時間よりも長い場合に当選状態を発生させ、不正でない振動を不正としないようにする技術を開示している。
【特許文献１】特開平１０−３３７９７号公報
【特許文献２】特開２００１−２７６３３８号公報
【特許文献３】特開２００２−１９１８０９号公報
【特許文献４】特開２００２−１５９７１７号公報
【発明の開示】
【発明が解決しようとする課題】
【０００６】
ところで、特許文献１に記載の技術は、データ管理の対象となる振動による不正行為の検出に特許文献４に記載の技術を採用して自動で「振動」に関する「不正行為データ」を入手するようにできる。しかし、特許文献４に記載の技術は、振動が検出されてから一定の時間よりも長い場合に当選状態を発生させて、遊技者がたまたま台のガラスに手がついたときのような「短い時間の間の振動」につき「不正」でない取り扱いができるにしても、直前の振動や短い時間の振動で当選状態が発生してしまう種類の入賞部には適用できない。また、特許文献１に記載のような台叩きを振動センサで検出するには、台叩きが多くの場合瞬間的で振動の検出が継続的に得られにくく、台叩きによって台が大きな変位を伴い片寄せされたり、傾いたりして不正に当選し、あるいは入賞していても「不正」と判定できないことが多々生じる。特許文献２、３に記載の技術は台叩きに対応しているが「不正」の判定機能を有しないので、特許文献４に記載の技術の問題は解消されない。
【０００７】
本発明者は、弾球遊技機の片寄せ、叩き変動、振動、傾きなどの異常変位を伴なう不正の多くが、振り分けによる抽選を行う権利物や役物に集中しており、しかも、これら権利物や役物は直ちに抽選状態になるのでなく、１つ以上の下位段階の入賞を条件として発生するのが大半であることに着目し、弾球遊技機に与えられる異常変位の種類や継続時間の長短などの違いの制約なしに、不正な外力による入賞を確度よく判定できることを見出した。
【０００８】
本発明の目的は、上記のような本発明者の新たな知見に基づき、弾球遊技機に与えられる不正な変位による入賞、特に、入賞系列部の上位段階入賞を高い確度で簡単に判定できる弾球遊技機の管理装置を提供することにある。
【課題を解決するための手段】
【０００９】
本発明の弾球遊技機の管理装置は、遊技球を貯留する球受け皿、球受け皿から供給される遊技球を遊技領域へ１つずつ打ち出す弾球打ち出し部、遊技遊技球の入賞に応じて遊技球を払い出す弾球払い出し部を備え、遊技領域に、遊技球を受け入れ、あるいは通過させる、普通入賞口、補助入賞口、大入賞口などの入賞口、補助入賞口や大入賞口のスタート用入賞口、補助入賞口や大入賞口内に大当たりとなるＶゾーンと大当たりにならない外れゾーンなどに振り分け設けられた振り分け部のうち、少なくとも２段階以上に関連し合う入賞系列部と、いずれにも入賞しなかった遊技球を遊技領域外へ排出する排出口と、を設けた弾球遊技機において、弾球遊技機の片寄せ、叩き変動、振動、傾きなどの異常変位の信号を、既設の変位検出手段があるときはそれの既設配線からの外部センサによる検出、既設の変位検出手段がない場合は弾球遊技機に付設した変位検出手段による検出、にて得、遊技球の入賞系列部への少なくとも下位段階およびその１つまたはそれ以上の上位段階での入賞信号を、それら信号に関連する既設の検出具があるものについてはそれの既設電気配線からの外部センサによる検出、それら信号に関連する既設の検出具がないものについては、それら信号に関連する機器の動作の信号の外部センサによる検出や遊技球の動きの非接触センサによる検出、にて得、弾球遊技機から独立した制御手段により、入賞系列部の上位段階入賞があるとき、それより下位段階の入賞信号があってから前記上位段階の入賞信号があるまでの間に、変位検出手段により検出された変位信号があった場合に、前記上位入賞が不正によるものと判定することを特徴としている。
【００１０】
このような構成では、弾球遊技機の片寄せ、叩き変動、振動、傾きなどの異常変位の信号を、既設の変位検出手段があるときはそれの既設配線からの外部センサ、既設の変位検出手段がない場合は弾球遊技機に付設した変位検出手段にて、遊技球の入賞系列部への少なくとも下位段階およびその１つまたはそれ以上の上位段階での入賞信号を、それら信号に関連する既設の検出具があるものについてはそれの既設電気配線からの外部センサ、それら信号に関連する機器の動作の信号の外部センサ、遊技球の動きの非接触センサ、にて、それぞれ弾球遊技機の事後改良にならないで得て、それらを弾球遊技機から独立した制御手段により利用し、入賞系列部の上位段階の入賞があったとき、それに関連した下位段階の入賞から前記上位段階の入賞までに変位が検出されていれば、その入賞を不正と判断する。
【００１１】
前記下位段階の入賞が、初期段階の入賞である、さらなる構成では、
上位入賞への権利が発生する初期段階からの、上位入賞に向けた不正を判定することができる。
【００１２】
前記上位段階の入賞が、複数段階ある上位段階の入賞の内予め設定された入賞である、さらなる構成では、
入賞系列部の入賞段数に関係なく、弾球遊技機の片寄せ、叩き変動、振動、傾きなどの異常変位に弱い段階、利得が大きく不正が行われやすい段階などを設定して、それに向けた不正を確度よく判定できる。
【００１３】
前記上位段階の入賞が、最終段階の入賞である、さらなる構成では、
大当たりが設定される率の高い最終段階を特定しての不正を確度よく判定できる。
【００１４】
前記上位段階の入賞が、大当たりの入賞である、さらなる構成では、
上位段階の入賞段数に関係なく、利得の大きな大当たりの上位段階を特定した不正を確率よく判定できる。
【００１５】
大当たりの入賞が、振り分け部のＶゾーン入賞である、さらなる構成では、
上位段階の入賞段数に関係なく、利得が大きく、かつ、弾球遊技機が片寄せ、叩き変動、振動、傾きなどの異常変位の不正の影響を受けやすい上位段階を特定した不正を確率よく判定できる。
【００１６】
変位信号は、制御手段に直属の弾球遊技機およびこれに異常変位が伝播する隣接のものを含む近隣範囲の弾球遊技機から受信し、複数の弾球遊技機から変位信号が入力した場合変位信号の入力時間値、入力回数値、入力の周波数値、入力の乱れ値など異常値が最大である弾球遊技機を異常変位したものと判定し、この判定した弾球遊技機が制御手段に直属のものである場合に制御手段は変位信号ありとして直属の弾球遊技機に関し前記不正の判定を行う、さらなる構成では、
制御手段に直属の弾球遊技機は、隣接の弾球遊技機を含む近隣の弾球遊技機に与えられた片寄せ、叩き変動、振動、傾きなどの異常変位の影響を受けるので、弾球遊技機個々での変位信号だけでは不正を誤判定してしまう可能性があるところ、制御手段がそのような影響し合う隣接のものを含む近隣の弾球遊技機からの変位信号を受信して、複数の弾球遊技機から入力信号があるとき、変位信号の異常値が最大である弾球遊技機を異常変位したものと判定し、この判定した弾球遊技機が制御手段に直属のものであるときだけ直属の弾球遊技機に関し前記不正の判定を行うことにより、直属の弾球遊技機が近隣の弾球遊技機から伝播した異常変位に基づき不正の判定をしてしまうようなことを回避することができる。
【００１７】
本発明のそれ以上の目的および特徴は、以下の説明および図面の記載によって明らかになる。本発明の特徴は、それ単独で、あるいは可能な限り種々な組合せで複合して採用することができる。
【発明の効果】
【００１８】
本発明によれば、弾球遊技機の変位の信号、入賞系列部への少なくとも下位段階およびそれの１つまたはそれ以上の上位段階での入賞信号を、弾球遊技機の事後改良にならずに得て、弾球遊技機から独立した制御手段にて利用し、それら信号のタイミングから下位段階入賞から上位段階入賞に向けた不正として確度高く容易に判断でき、不正でない遊技状態を不正と判定するような問題を低減して、しかも安価に不正に対応できる。
【００１９】
前記下位段階の入賞が、初期段階の入賞であると、上位入賞への権利が発生する初期段階から、上位入賞へ向けた不正を判定できる。
【００２０】
前記上位段階の入賞が、複数段階ある上位段階の入賞の内予め設定された入賞であると、弾球遊技機の異常変位に弱い段階、利得が大きく不正が行われやすい段階などを設定して、それに向けた不正を確度よく判定できる。
【００２１】
前記上位段階の入賞が、最終段階の入賞であると、大当たりとされる率の高い最終段階を特定した不正を確率よく判定できる。
【００２２】
前記上位段階の入賞が、大当たりの入賞であると、上位の入賞段数に関係なく、利得の大きな大当たりの上位段階を特定した不正を確率よく判定できる。
【００２３】
大当たりの入賞が、振り分け部のＶゾーン入賞であると、上位段階の入賞段数に関係なく、利得が大きく、かつ、異常変位の不正の影響を受けやすい上位段階を特定した不正を確度よく判定できる。
【００２４】
制御手段が直属の弾球遊技機と異常変位の影響を受ける隣接の弾球遊技機を含む近隣の弾球遊技機からの変位信号を受信して、直属の弾球遊技機が異常変位を受けたかどうかを判定し、直属の弾球遊技機が異常変位を受入ているときだけ不正の判定を行い、直属の弾球遊技機に他ら伝播した異常変位に基づき不正を誤判定をするようなことを回避することができる。
【発明を実施するための最良の形態】
【００２５】
弾球遊技機の１つの例として、図１に特許文献１で見られるパチンコ機をベースにして示している。このパチンコ機は図１に示すように、遊技盤１に大入賞口として羽物といわれる公知の第２種の電動役物２がレール３に囲まれた遊技領域４のほぼ中央に配されている。電動役物２の真下には電動役物２を始動させる変動始動入賞口５が配置され、その両側に変動始動入賞口５よりも少し高くして普通入賞口６、６が配置されている。左右の各普通入賞口６、６の上方には、電動役物２の底面よりも少し高くした風車７、７と、電動役物２の肩とほぼ同等の高さを有した風車８、８が配置されている。また、遊技領域４には一部のみ示しているが各種の釘９が打たれて、レール３によって案内され遊技領域４に入る遊技球を風車７、８などと共に各所に導き、また、入賞確率を設定するようになっている。通常は約２６球の打ち出しの内１球が変動始動入賞口５に入賞するように設定される。外れ球は全てゲート１１に導き、ゲート１１を経て排出口１２に集合されるようになっている。遊技盤１の下部には遊技球の貯留部である球受け皿１３とこの球受け皿１３から供給される遊技球の打ち出し器１４が設けられ、遊技盤１の上部には遊技球の補給用貯留部１５が設けられ、払い出し器１６へ補給器１７を通じ遊技球を補給するようになっている。各パチンコ機が回収した遊技球は図示しない循環機構によって管理され、所定のタイミングで必要数が補給用貯留部１５へ自動的に戻される。球受け皿１３には払い出し器１６から払い出される遊技球の払い出し口１８が設けられている。
【００２６】
電動役物２は上部の左右に羽根２ａ、２ａを有し、例えば、特許文献１に記載のものに倣って、変動始動入賞口５に遊技球が入賞することによって始動し、初回は０．３秒の間羽根２ａが実線と破線の間で揺動して入賞口２ｂを開閉し、以降順次開閉時間が長くなり、６回目に初回の開閉時間に戻ることを３０秒間、あるいは所定入賞回数に達するまで繰り返し、電動役物２に遊技球が入賞しやすくする。また、この電動役物２への入賞球は入賞口２ｂの下方にある振り分け部２ｃにおいて、中央のＶゾーン２ｃ１とその左右の外れゾーン２ｃ２、２ｃ２とに、入賞球の自然な動きの違いなどに応じて電動役物２自体において設定された所定の確率で振り分けられる。入賞球がＶゾーン２ｃ１に振り分けられたときだけ大当たりとなり、その時に払い出される景品球数は、入賞球が外れゾーン２ｃ２に振り分けられた場合に払い出される景品球数に対し大きく変化する。また、普通入賞口６に遊技球が入賞したときに払い出される景品球数は、電動役物２の外れゾーン２ｃ２に振り分けられたときに払い出される景品球数よりも少ない。
【００２７】
一方、遊技球がいずれにも入賞せずにゲート１１を通過する都度、乱数などを利用した抽選が行われ、通過時点での乱数値が当たり値であって変動始動入賞口５が開いていないことを条件に変動始動入賞口５を開放してそこへの入賞確率を高める。
【００２８】
このような遊技のために、弾球遊技機個々に設けられる図２に示すような遊技台マイクロコンピュータ２１が用いられ、所定のプログラム１に従って自動制御される。また、各遊技台マイクロコンピュータ２１はホールマイクロコンピュータ２２に接続されてプログラム０に従い集中管理される。遊技台マイクロコンピュータ２１には前記のような遊技制御のために、打ち出し器１４での打ち出しダイヤル１４ａの動作をマイクロスイッチ１４ｂなどで検出した打ち出し信号Ｓ０、変動始動入賞口５での入賞球を近接センサ２３により検出するなどした変動スタート信号Ｓ１、電動役物のＶゾーン２ｃ１、外れゾーン２ｃ２での入賞球を近接センサ２４１、２４２、２４３により検出するなどしたＶ入賞信号Ｓ２１、外れ入賞信号Ｓ２２１、Ｓ２２２、各普通入賞口６、６での入賞球を近接センサ２５１、２５２により検出するなどした普通入賞信号Ｓ３、Ｓ４、ゲート１１への通過球を近接センサ２７により検出するなどしたゲート通過信号Ｓ５、その他の入力が入力される。また、遊技台マイクロコンピュータ２１からは、打ち出し信号Ｓ０の入力に応じた打ち出し器１４に対する打ち出し駆動信号Ｄ０、変動スタート信号Ｓ１の入力に応じた電動役物２への変動役物駆動信号Ｄ１、電動役物２でのＶ入賞信号Ｓ２１、外れ入賞信号Ｓ２２１、２２２の入力に応じた払い出し器１６に対するＶ入賞払い出し駆動信号Ｄ２１、外れ入賞払い出し駆動信号Ｄ２２、普通入賞信号Ｓ３、Ｓ４の入力に応じた払い出し器１６に対する普通入賞払い出し駆動信号Ｄ３、各種入力や遊技制御に応じた各種表示機器に対する駆動信号Ｄ４、その他の出力が出力され、ゲート通過信号Ｓ５の入力によってはプログラム１に従った抽選と、当たり結果に応じた変動始動入賞口５に対する開放駆動信号Ｄ５が出力される。
【００２９】
本実施の形態は、このようなパチンコ機に与えられる不正な変位による入賞を高い確度で判定できるようにするため、パチンコ機の片寄せ、叩き変動、振動、傾きなどの異常変位を示す図２に示すような変位信号Ｓ１３１、Ｓ１３２・・を、既設の変位検出手段があればそれの既設配線からの外部センサにより検出できるが、既設の変位検出手段がないので、図１に示すように遊技盤１に接着や釘付けなどによって取り付けるなどして弾球遊技機に付設した変位検出手段６１により検出して得、また、上記変動始動入賞口５、電動役物２の振り分け部２ｃでのＶゾーン２ｃ１、外れゾーン２ｃ２のように、少なくとも２段階以上に関連し合う入賞系列部Ａにおける図２に示すような入賞信号Ｓ１、Ｓ２１、Ｓ２２１、Ｓ２２２・・の内の少なくとも下位段階およびその１つまたはそれ以上の上位段階での入賞信号を、それら信号Ｓ１、Ｓ２１、Ｓ２２１、Ｓ２２２・・などに関連する既設の検出具としてリードセンサなどの図１、図２に示す非接触センサ２３、２４１、２４２、２４３・・などがあるので、それの既設電気配線からの電流センサ、クランプセンサ、クリップセンサなどと称される図２に示す外部センサ４１〜４４・・などにより検出して得、それら信号Ｓ１、Ｓ２１、Ｓ２２１、Ｓ２２２などに関連する既設の検出具がない場合は、それら信号Ｓ１、Ｓ２１、Ｓ２２１、Ｓ２２２などに関連する機器の動作の信号の外部センサによる検出や遊技球の動きの非接触センサにより検出して得、これら変位信号Ｓ１３１、１３２や入賞信号Ｓ１、Ｓ２１、Ｓ２２１、Ｓ２２２・・などを、弾球遊技機から独立した制御手段としての図２に示す補助管理マイクロコンピュータ３１で利用し、プログラム２に従って、入賞系列部Ａの上位段階入賞があるとき、それより下位段階の入賞信号があってから前記上位段階の入賞信号があるまでの間に、変位検出手段６１により検出された変位信号Ｓ１３１、Ｓ１３２の１つがあった場合に、前記上位入賞が不正によるものと判定するようにしている。
【００３０】
以上から、本実施の形態では、弾球遊技機に不正な外力による片寄せ、叩き変動、振動、傾きなどが与えられても、異常変位の信号Ｓ１３１やＳ１３２を遊技盤１などに付設した変位検出手段６１により、入賞系列部Ａにおける各段階の入賞信号Ｓ１、Ｓ２１、Ｓ２２１、Ｓ２２２・・の内の少なくとも下位段階およびその１つまたはそれ以上の上位段階での入賞信号を、それら信号Ｓ１、Ｓ２１、Ｓ２２１、Ｓ２２２・・などに関連する既設の検出具としてリードセンサなどの図１、図２に示す非接触センサ２３、２４１、２４２、２４３・・などによる検出にて得て、それらを弾球遊技機から独立した補助管理マイクロコンピュータ３１により利用し、入賞系列部Ａの上位段階の入賞があったとき、それに関連した下位段階の入賞から前記上位段階の入賞までに変位が検出されているかどうかで、つまり、それら信号のタイミングから下位段階入賞から上位段階入賞に向けた不正として確度高く容易に判断でき、不正でない遊技状態を不正と判定するような問題を低減して、しかも安価に不正に対応できる。対応は遊技の即時停止、表示、ブザー、音声などによる自動的な警告、係りによる警告、単独またはホールコンピュータ２２と通信し合う連携などによるデータの蓄積結果による対応などである。
【００３１】
上記変位検出手段６１は、例えば、図２に示すように、センサケース６１ａの底部に中立点Ｏに向け両側から下向きに僅かな角度θを持って傾斜した底部電極６１ｂと、この底部電極６１ｂ上に置かれて中立点Ｏに自重で戻る転がりタイプのスイッチ球６１ｃと、センサケース６１ａの周壁に設けられた対向電極６１ｄ１、６１ｄ２・・とで構成したものとしている。これによると、遊技盤１の左から叩かれた変位が変位検出手段６１に伝わる場合、叩かれる場合の変位は一瞬の場合が多いが、スイッチ球６１ｃは慣性によって低部電極６１ｂ上を左側に上って対向電極６ｄ１に１回は確実に接触してバッテリー６２による電圧が変位信号Ｓ１３１として補助管理マイクロコンピュータ３１に入力され、遊技盤１が右側に変位したことが検出され、判定される。遊技盤１の右から叩かれた変位が変位検出手段６１に伝わる場合、スイッチ球６１ｃは同様にして右側の対向電極６１ｄ２に接触するので、変位信号Ｓ１３２として補助管理マイクロコンピュータ３１に入力され、遊技盤１が左側に変位したことが検出され、判定される。このような場合のスイッチ球６１ｃの移動性は角度θが小さいほど促進される。また、前記のような叩きによって遊技盤１が左に角度θを超えて傾けば、スイッチ球６１ｃは対向電極６１ｄ１に接触したままとなり変位信号Ｓ１３１は継続するし、右に角度θを超えて傾けば、スイッチ球６１ｃは対向電極６１ｄ２に接触したままとなり信号Ｓ１３２が継続するので、傾きをその向きと共に検出し、判定することができる。遊技台１が左右に振動させられそれが変位検出手段６１に伝わる場合、スイッチ球６１ｃは左側の対向電極６１ｄ１と右側の対向電極６１ｄ２とに交互に接触するので、変位信号Ｓ１３１、Ｓ１３２が交互に発生するのでそのような状態でも検出し判定することができる。もっとも、振動の検出には中立点Ｏに位置するスイッチ球６１ｃと対向電極６１ｄ１、６１ｄ２などとの距離を小さく設定しておくのが好適である。
【００３２】
底部電極６１ｂが紙面に直角な前後方向にも角度θを持ち、その方向にも対向電極が設けられていると、前後方向での変位、傾き、振動をも検出することができる。必要なら、低部電極６１ｂを中立点Ｏまわりに傾斜させ、その中心軸まわりに対向電極を微小間隔で配置すると、遊技盤１のどの方向への変位、傾き、振動をも検出することができるし、２方向以上の台叩きや振動などが与えられる場合でも、スイッチ球６１ｃが２方向以上の対向電極に接触することによって検出し、判定することができる。また、底部電極６１ｂは傾斜がなくてもスイッチ球６１ｃをマグネットにより吸引して中立点Ｏへの復帰習性を与える方式でも同様の変位検出が行える。さらに、スイッチ球６１ｃを振り子式に支持して対向電極６１ｄ１、６１ｄ２などと対向させても同様の変位検出が行える。
【００３３】
このように本実施の形態の変位検出手段６１は、遊戯盤１などの変位の状態の多くの違いを検出して判定されるようにするが、既述のように上位段階の入賞があったとき、それに関連する下位段階の入賞からの間に変位が検出されると、下位段階の入賞をきっかけにした上位入賞に向けた不正が行われやすい関係から、変位検出手段６１の検出状態や検出時間の長短の違いを考慮せずともその変位が異常で不正なものであったものと判断してもその確度は高く、前記のような遊戯の即時停止措置をするような場合でも問題になる確率は小さい。
【００３４】
もっとも、変位検出手段６１の検出状態の種類によって、不正と判断する入賞対象を異ならせて、より多くの種類の変位を伴なう不正を、それが生じやすい入賞対象ごとにきめ細かくさらに高い確度で判定し対応することができる。
【００３５】
以上各場合において、前記変位検出手段６１による変位検出が不正かどうかを判定する下位段階の入賞を、初期段階の入賞とすることにより、上位入賞への権利が発生する初期段階からの、上位入賞に向けた不正を判定することができる。
【００３６】
また、不正な変位によるかどうか判定する対象とする上位段階の入賞を、複数段階ある上位段階の入賞の内予め設定された入賞であるようにすると、入賞系列部Ａの入賞段数に関係なく、弾球遊技機の片寄せ、叩き変動、振動、傾きなどの異常変位に弱い段階、利得が大きく不正が行われやすい段階などに設定して、それに向けた不正を確度よく判定できる。この場合の、上位段階の入賞を、最終段階の入賞とすると、前記Ｖゾーン２ｃ１などの各種大当たりが設定される率の高い最終段階を特定しての不正を確度よく判定できる。このように大当たりの入賞が、振り分け部２ｃのＶゾーン２ｃ１の入賞とすると、上位段階の入賞段数に関係なく、利得が大きく、かつ、弾球遊技機が片寄せ、叩き変動、振動、傾きなどの異常変位の不正の影響を受けやすい上位段階を特定した不正を確率よく判定できる。
【００３７】
ここで、特許文献１はゲートの抽選の当たり確率に遊技者の技量の差は反映されず公平であるとしている。また、変動始動入賞口５に入賞してから電動役物２を始動させるまでの時間を可変にすることで、電動役物２への入賞確率を均一化することができ、遊技者の技量の差を生じさせないとしている。
【００３８】
しかし、開閉中の電動役物２、変動始動入賞口５、普通入賞口６、６への遊技球の入賞確率は依然として釘９の調整状態に依存し、遊技者の技量の影響を受けることに変わりはなく、それらへの入賞確率によってゲート１１に対する通過割合も変動する。そこで、営業利益と遊技者の利益や遊技性の面で、遊技提供者側が釘９の調整によって設定するにも、必要な入賞確率が管理されていないために対応できなかったり、補助役物や役物に設定されている理論上の確率に依存していて実情に合致しなかったりする。まして、弾球遊技機全体での確率を実情に合わせて正確に判定し、釘９の調整を的確に設定するのは困難である。
【００３９】
そこで、本実施の形態は、上記変動始動入賞口５、電動役物２の振り分け部２ｃでのＶゾーン２ｃ１、外れゾーン２ｃ２のように、少なくとも３段階以上に関連し合う入賞系列部Ａを持った図１に示すような弾球遊技機において、遊技球の入賞系列部Ａへの少なくとも変動始動入賞口５である初期段階および電動役物２の振り分け部２ｃにおけるＶゾーン２ｃ１である最終段階での各変動始動入賞信号Ｓ１およびＶ入賞信号Ｓ２１によって、弾球遊技機から独立した制御手段としての図２に示す補助管理マイクロコンピュータ３１で利用し、プログラム２に従って、初期段階の入賞回数と最終段階の入賞回数とから、初期段階の入賞に対する最終段階の入賞確率を算出し管理データとして記憶またはおよび出力し、確率の管理に供する。それには、それら信号に関連する既設の近接センサ２３、２４１があるので、それの既設電気配線からの、電流センサ、クランプセンサ、クリップセンサなどと称される外部センサ４１、４２により検出して利用できるし、それら信号に関連する既設の検出具がないものについては、それら信号に関連する機器の動作の信号の外部センサによる検出や遊技球の動きの非接触センサによる検出により得て利用することができる。これにより、３段階以上に関連し合う入賞系列部Ａの各種入賞部である変動始動入賞口５、Ｖゾーン２ｃ１などは、弾球遊技の進行上予め設定した関連動作を達成するために、それぞれに入賞する遊技球を検出する既設検出具である前記近接センサ２３、２４１などが設けられているものの、例えば、弾球遊技機によっては最終段階入賞状態になる確率をその前の中間段階入賞状態の回数に対してしか判定しないものがあるところ、少なくとも３段階以上に関連し合う入賞系列部Ａの各種入賞部における変動始動入賞口５での初期段階入賞状態およびＶゾーン２ｃ１での最終段階入賞状態の既設近接センサ２３、２４１などよる検出信号Ｓ１、Ｓ２１を、近接センサ２３、２４１などからの配線に対する外部センサ４１、４２などによって弾球遊技機の事後改良とならずに検出して、それを補助管理マイクロコンピュータ３１により利用し、景品球の払い出しのない変動始動入賞口５での初期段階入賞に対するＶゾーン２ｃ１での最終段階入賞の確率を算出し、それを記憶またはおよび出力して管理に供し、釘調整が関係した最終段階入賞の確率につき、初期段階入賞部への入賞確率を含む広範囲での実情に即した判定と、釘調整による再設定ができる。
【００４０】
以上のような弾球遊技機の事後改良とならない信号の検出、取り扱い方式は、より多くの信号を取得してのより多くの確率を判定するのに有効である。
【００４１】
このような観点から、本実施の形態では、前記入賞系列部Ａにおける初期段階および最終段階の入賞信号に加え、さらに、遊技球毎の打ち出し信号Ｓ１０につき、関連する既設の検出具がある場合はそれの既設電気配線から外部センサにより、あるいは、その信号に関連する既設の検出具がない場合は、その信号Ｓ１０に関連する打ち出し器１４や打ち出し打ち出しダイヤル１４ａなどの機器の動作の信号の外部センサにより、あるいは、図１に示すように遊戯球が打ち出される動きを付設の近接センサ２０により、検出し、補助管理マイクロコンピュータ３１により、遊技球の打ち出し数と、初期段階の入賞回数および最終段階の入賞回数とから、遊技球の打ち出し数に対する初期段階の入賞またはおよび最終段階の入賞の確率、および初期段階の入賞に対する最終段階の入賞確率を算出し管理データとして記憶またはおよび出力し、管理に供するようにしている。
【００４２】
これにより、さらに、遊技球の打ち出し数が検出されない弾球遊技機があるところ、遊技球毎の打ち出し信号Ｓ１０を弾球遊技機の事後改良とならずに得て、補助管理マイクロコンピュータ３１に入力し利用することにより、遊技球の打ち出し実数に対する初期段階入賞の確率や、最終段階入賞の確率を算出し、それを記憶またはおよび出力して管理に供し、遊技球の打ち出し実数を基に初期段階入賞や最終段階入賞の釘調整が関係した確率につき、実情により即した、よりずれのない判定と、釘調整による再設定とができる。特に打ち出し数は、遊技領域に打ち出された遊技球を検出することにより、戻り球による誤差を回避することができる。特に、遊戯球毎の打ち出し信号Ｓ１０を打ち出された遊技球個々を近接センサなどで検出することにより、その実数を取り扱った確率計算ができるし、図１に示すように遊技領域４まで打ち出された遊戯球を検出することで、打ち出し動作から遊技領域に達するまでに生じる打ち出し上のトラブルが確率計算に影響するのを防止することができる。
【００４３】
なお、初期段階と最終段階との間の電動役物２の外れゾーン２ｃ２への入賞など１つまたは複数の中間段階の入賞の信号Ｓ２４２、２４３をも、他の信号同様に、近接センサ２４２、２４３からの配線に対する外部センサ４３、４４により検出するなどして、図２に示すように補助管理マイクロコンピュータ３１に入力し利用することで、遊技球の打ち出し数や初期入賞に対する１つまたは複数の中間段階の入賞確率を算出し管理データとして記憶またはおよび出力することができる。これにより、遊技球の打ち出し実数を基に初期段階入賞や最終段階入賞に１つまたは複数の中間段階をも加えた釘調整が関係した遊技機領域全体の各種入賞確率につき、実情により即した、よりずれのない判定と、釘調整による再設定とができる。また、普通入賞信号Ｓ３、Ｓ４をも近接センサ２５１、２５２の配線から外部センサ４５、４６にて検出するなどして同様に取り扱うことができる。
【００４４】
なお、制御手段である補助管理マイクロコンピュータ３１が不正を判定する直属の弾球遊技機は、隣接の弾球遊技機を含む近隣の弾球遊技機に与えられた片寄せ、叩き変動、振動、傾きなどの異常変位の影響を受け、直属の弾球遊技機個々での変位検出手段６１からの変位信号Ｓ１３１、Ｓ１３２だけでは不正を誤判定してしまう可能性がある。そこで、本実施の形態では図２に示すように、変位信号Ｓ１３１、Ｓ１３２は、補助管理マイクロコンピュータ３１に直属の弾球遊技機における変位検出手段６１からの受信に加え、直属の弾球遊技機に異常変位が伝播する隣接のものを含む近隣範囲の弾球遊技機における変位検出手段１６１、２６１・・からも受信し、複数の弾球遊技機から変位信号が入力した場合変位信号Ｓ１３１、Ｓ１３２の入力時間値、入力回数値、入力の周波数値、入力の乱れ値など異常値が最大である弾球遊技機を異常変位したものと判定し、この判定した弾球遊技機が補助管理マイクロコンピュータ３１に直属のものである場合に補助管理マイクロコンピュータ３１は変位信号ありとして直属の弾球遊技機に関し前記不正の判定を行うようにしている。
【００４５】
このように、補助管理マイクロコンピュータ３１が、異常変位が影響し合う隣接のものを含む近隣の弾球遊技機からの変位信号Ｓ１３１、Ｓ１３２を受信して、複数の弾球遊技機から入力信号があるとき、変位信号の異常値が最大である弾球遊技機を異常変位したものと判定し、この判定した弾球遊技機が補助管理マイクロコンピュータ３１に直属のものであるときだけ直属の弾球遊技機に関し前記不正の判定を行うことにより、直属の弾球遊技機が近隣の弾球遊技機から伝播した異常変位に基づき不正の判定をしてしまうようなことを回避することができる。複数の弾球遊技機から受信する変位信号Ｓ１３１、Ｓ１３２の異常値の大小は、特定の弾球遊技機に与えられている異常変位が近隣の弾球遊技機に伝播するとき、変位検出手段６１、１６１、２６１・・が検出する信号はほぼ同種類となり、特定の弾球遊技機から離れる弾球遊技機ほど変位状態が軽度となることから、容易に判定できる。
【００４６】
さらに、図２に示す例では、遊技球の排出の信号を、それと等価なゲート１１での通過信号Ｓ５として、近接センサ２７からの配線に対する外部センサ４７にて検出するなどして、補助管理マイクロコンピュータ３１に入力して利用し、遊技球の打ち出し数に対する排出数の割合を算出し管理データとして記憶またはおよび出力し、管理に供するようにしている。これにより、遊技球の打ち出し数と排出数との関係、割合につき、実情に即した判定と、弾球遊技機全体での釘調整による再設定とができる。
【００４７】
また、遊技球毎の払い出しの信号Ｓ１１を、付設した近接センサなどの非接触センサ４８により検出するなどして補助管理マイクロコンピュータ３１に入力し利用することにより、遊技球の打ち出し数に対する払い出し数の割合を算出し管理データとして記憶またはおよび出力し、管理に供するようにしてある。これにより、遊技球毎の払い出しの信号Ｓ１１を弾球遊技機の事後改良にならないで検出して、補助管理マイクロコンピュータ３１にて利用し、遊技球の打ち出し数に対する払い出し数の割合につき、実情に即した判定と、釘調整による再設定とができる。
【００４８】
また、補給される遊技球の信号Ｓ１２を、付設した近接センサなどの非接触センサ４９により弾球遊技機の事後改良にならないで検出して、それを補助管理マイクロコンピュータ３１に入力して利用し、遊技球の排出数に対する補給数の割合につき、実情に即した判定と、釘調整による再設定とができるようにもしている。
【００４９】
最後に、補助管理マイクロコンピュータ３１は、上記のように取得した各種入力信号Ｓ１・・Ｓ１２を比較し、異常や不正を判定するようにしている。これにより、遊技球に対する各種の信号Ｓ１・・Ｓ１２を得て、釘調整のための種々な判定を実情に即して判定し、対応できるようにするのに併せ、遊技球の打ち出しから入賞、排出までの各検出ポイント間での関係が正常でないことにより、出球率異常、釘調整の設定異常、動作入賞部の動作異常や確率異常、補給部の補給異常などに加え、異常の状態によっては不正をも判定することができる。
【００５０】
例えば、振り分け部２ｃでの外れゾーン２ｃ２への入賞とＶゾーン２ｃ１への大当たり入賞との割合が異常であるとき、それを有した電動役物２の構造異常のほか、弾球遊技機を揺さぶったり、振動を与えたり、傾斜させたりして、自然な、あるいは機械的に仕組まれた振り分け確率を変動させている不正を判定することができる。また、各段階での遊技球取り扱いでのつじつまの合わない遊技球の増大なども何らかの不正と判定することができる。異常や不正の判定結果は記録またはおよび出力して管理に供することができ、この場合それを表示したり、警報を発することもできる。また、必要および可能なら、ホールコンピュータ２２と通信して管理に供することもできる。なお、図２に示す駆動信号Ｄ０、Ｄ１、Ｄ２１、Ｄ２２、Ｄ３、Ｄ４、Ｄ５に対する外部センサ５１、５２、５３、５４、５５、５６をも弾球の各遊戯段階、遊技状態を示す信号して利用し、確率判定にもちいることができるし、それら駆動信号Ｄ０、Ｄ１、Ｄ２１、Ｄ２２、Ｄ３、Ｄ４、Ｄ５によって駆動される各種の機器２、５、１４、１６の動作信号も同様に利用できる。
【００５１】
このような確率の計算において、前記不正の判定があって、その判定が真正で遊技者とのトラブルがない（例えば、遊技者がそのまま）か、話し合いがついた時点で、変位信号Ｓ１３１、Ｓ１３２のリセットに併せるなどして、その時の入賞分の確率訂正を行えば不正による入賞によって確率計算が損なわれるようなことを防止することができる。
【００５２】
図３に示す例は別途知られたパチンコ機の例を示し、遊技領域４のやや上寄りの左右方向中央に役物装置１００、その下に第１種始動入賞口１０１、その左右に第２種始動入賞口１０２、１０２、第１種始動入賞口１０１の下に大入賞口としてのアタッカー１０３を有し、第１種始動入賞口１０１への入賞によって第１当たりとなりアタッカー１０３を開放し、開放中に所定の第１ラウンド更新条件が成立した場合に、その第１ラウンドの開放を繰り返し、第２種始動入賞口１０２、１０２に入賞によって第２当たりとなり役物装置１００の羽根１００ａ、１００ａを開放し、この開放中に所定の第２ラウンド更新条件が成立した場合に、その第２ラウンドの開放を繰り返し、第１種始動入賞口１０１、第２種始動入賞口１０２の同時入賞によってアタッカー１０３および役物装置１００の開放とを重ねて実行し、それら第１ラウンドの終了条件と第２ラウンドの終了条件との一方が成立した場合に、第１、第２ラウンドの双方を終了する。
【００５３】
役物装置１００は羽根１００ａが入賞口１００ｅを開放することで遊技球が入賞でき、前傾したステージ面１００ｂへその奥側左右の壁にある進入口１００ｄから進入し、ステージ面１００ｂ上を釘９による障害部を通過して転がり、前端の中央にあるＶ入賞口１００ｃ１か、その左右にある外れ入賞口１００ｃ２、１００ｃ３に入る。Ｖ入賞口１００ｃ１への入賞によって第２種当たりとなる。第２種当たりでは役物装置１００の開放時間が１秒長くなり、かつ、開放の繰り返し最大数が１８と多くなる。また、役物装置１００は液晶表示部１０４を有し、制御上で行われる第１種始動入賞口１０１への入賞による乱数での抽選状態の表示や図柄抽選とその当選の表示、前記Ｖ入賞口１００ｃ１への入賞の表示を行うようになっている。
【００５４】
このようなパチンコ機では、第１種始動入賞口１０１とアタッカー１０３とが１つの入賞系列部Ａをなし、第２種始動入賞口１０２と役物装置１００の入賞口１００ｅ、Ｖ入賞口１００ｃ１、外れ入賞口１００ｃ２、１００ｃ３とが１つの入賞系列部Ａをなし、そのいずれにも本発明は適用できる。しかし、アタッカー１０３への入賞確率は高く従って不正される恐れがないし、不正外力による影響もほとんどないといえるので、これを不正判定対象の上位段階から外してよい。しかし、アタッカー１０３がＶゾーンと外れゾーンを有したものである場合は、第１種始動入賞口１０１とによる入賞系列部Ａにも不正判定を行うのは有効である。
【産業上の利用可能性】
【００５５】
本発明は、弾球遊技機の入賞系列部の上位段階へ向けた変位を伴なう不正による入賞を確度よく簡単に判定できるようになる。
【図面の簡単な説明】
【００５６】
【図１】本実施の形態に係る管理装置が適用される弾球遊技機の１つの例を示す概略正面図である。
【図２】図１の弾球遊技機の制御系と本実施の形態に係る管理装置の制御系との関係を示すブロック図である。
【図３】本実施の形態に係る管理装置が適用される弾球遊技機の別の例を示す概略正面図である。
【符号の説明】
【００５７】
１  遊技盤
２  電動役物
２ａ  羽根
２ｂ  入賞口
２ｃ  振り分け部
２ｃ１  Ｖゾーン
２ｃ２  外れゾーン
３  レール
４  遊技領域
５  変動始動入賞口
６  普通入賞口
９  釘
１１  ゲート
１２  排出口
１３  球受け皿
１４  打ち出し器
１４ａ  打ち出しダイヤル
１４ｂ  マイクロスイッチ
１５  補給用貯留部
１６  払い出し器
１７  補給器
１８  払い出し口
２０、２３、４８、４９、２４１、２４２、２５１、２５２、２７  非接触センサ
２１  遊技台マイクロコンピュータ
２２  ホールマイクロコンピュータ
３１  補助管理マイクロコンピュータ
４１、４２、４３、４４、４５、４６、４７  外部センサ
５１、５２、５３、５４、５５、５６  外部センサ
６１、１６１、２６１  変位検出手段
１００  役物装置
１０１  第１種始動入賞口
１０２  第２種始動入賞口
１０３  アタッカー
Ａ  入賞系列部
【図１】
2007167178.tif 000003
【図２】
2007167178.tif 000004
【図３】
2007167178.tif 000005